(57)【要約】【課題】スイッチ類等の所定の電気器具要素がフランジ部の前面に設けられ、当該フランジ部の背面から後方に突出する胴部を被取付パネルの取付口に挿通させた状態で被取付パネルに取付可能なパネル取付器具において、共通の器具本体を用いながら、単一又は一対の電気器具要素を効率良く被取付パネルに配置可能な技術を提供する。【解決手段】胴部２０の外周に、単一の器具本体を単独で被取付パネルに取り付ける単独取付状態において取付用部材である単一の第１取付用部材３１が装着される第１部材装着部２１と、一対の器具本体を被取付パネルの面内方向における第１方向Ｘに沿って並列配置して被取付パネルに取り付ける並列取付状態において取付用部材である単一の第２取付用部材３２が装着される第２部材装着部２２とが設けられている。【選択図】図３
2020068131.tif 000002
【特許請求の範囲】
【請求項１】
所定の電気器具要素が前面に設けられたフランジ部と、当該フランジ部の背面から後方に突出すると共に取付用部材を装着可能な部材装着部が外周に設けられた胴部と、を有する器具本体を備え、
被取付パネルの取付口に前方から挿通させた前記胴部に対して後方から前記取付用部材を前記部材装着部に装着させる形態で、前記器具本体を前記被取付パネルに取付可能なパネル取付器具であって、
前記胴部の外周に、前記部材装着部として、単一の前記器具本体を単独で前記被取付パネルに取り付ける単独取付状態において前記取付用部材である単一の第１取付用部材が装着される第１部材装着部と、一対の前記器具本体を前記被取付パネルの面内方向における第１方向に沿って並列配置して前記被取付パネルに取り付ける並列取付状態において前記取付用部材である単一の第２取付用部材が装着される第２部材装着部とが設けられているパネル取付器具。
【請求項２】
前記胴部の外周において、前記第１部材装着部が前記第２部材装着部に装着された状態の前記第２取付用部材の内方側に配置されており、前記第２部材装着部が前記第１部材装着部に装着された状態の前記第１取付用部材の内方側に配置されている請求項１に記載のパネル取付器具。
【請求項３】
前記胴部が、前記第１方向に偏平な略直方体形状に形成されており、
前記胴部の外周において、前記被取付パネルの面内方向において前記第１方向と直交する第２方向に沿って対向する夫々の幅狭面に前記第１部材装着部が設けられていると共に、当該第１部材装着部が設けられた夫々の幅狭面の前記第１方向に沿った一方側の側面との角部に前記第２部材装着部が夫々設けられている請求項１又は２に記載のパネル取付器具。
【請求項４】
前記第１部材装着部及び前記第２部材装着部の夫々が、ねじ山が形成された異径のねじ山形成部であり、
前記第１取付用部材及び前記第２取付用部材の夫々が、前記ねじ山形成部のねじ山に螺合される異径の取付用ナットである請求項３に記載のパネル取付器具。
【請求項５】
前記胴部の外周において、前記第１部材装着部が設けられた夫々の幅狭面の前記第１方向に沿った他方側の側面に、前記胴部内の空間を通じて前記電気器具要素に接続される配線が通過する配線取出口が形成されている請求項３又は４に記載のパネル取付器具。
【請求項６】
単一又は一対のエンジン始動用スイッチを被取付パネルに配置してなる船舶用の操作パネル構造であって、
前記エンジン始動用スイッチを前記電気器具要素として前記フランジ部に設けて構成された請求項１〜５の何れか１項に記載のパネル取付器具を、前記単独取付状態又は前記並列取付状態にて前記器具本体を前記被取付パネルに取り付けて構成された船舶用の操作パネル構造。
【発明の詳細な説明】
【技術分野】
【０００１】
本発明は、スイッチ類等の所定の電気器具要素がフランジ部の前面に設けられ、当該フランジ部の背面から後方に突出する胴部を被取付パネルの取付口に挿通させた状態で被取付パネルに取付可能なパネル取付器具に関し、特に、単一又は一対のエンジン始動用スイッチを被取付パネルに配置してなる船舶用の操作パネル構造に採用されるパネル取付器具に関する。
【背景技術】
【０００２】
単一の推進用エンジンが搭載された船舶用の操作パネル構造では、当該単一の推進用エンジンを始動するための単一のエンジン始動用スイッチが配置されているが、一対の推進用エンジンが搭載された船舶（例えば、特許文献１を参照。）用の操作パネル構造では、それら一対の推進用エンジンを始動するための一対のエンジン始動用スイッチが配置される。
このように複数のスイッチ類等の電気器具要素を被取付パネルに配置するための従来の操作パネル構造としては、当該複数の電気器具要素を一体的に設けたフランジ部を製作し、当該フランジ部を被取付パネルに取り付けて構成されたものが知られている（例えば、特許文献２を参照。）。
また、単一の電気器具要素を単独で被取付パネルに配置するための従来の操作パネル構造として、当該単一の電気器具要素が前面に設けられたフランジ部と、当該フランジ部の背面から後方に突出すると共に取付用ナットを装着可能なねじ山形成部が外周に設けられた胴部と、を有する器具本体を備えたパネル取付器具を用いるものが知られている（例えば、特許文献３を参照。）。かかるパネル取付器具は、被取付パネルの取付口に前方から挿通させた胴部に対して後方から取付用ナットをねじ山形成部に装着させる形態で、器具本体が被取付パネルに取り付けられる。
【先行技術文献】
【特許文献】
【０００３】
【特許文献１】特開２０１７−１７８２９０号公報
【特許文献２】特開２０１８−１０３８８９号公報
【特許文献３】特開平９−５０７２５号公報
【発明の概要】
【発明が解決しようとする課題】
【０００４】
船舶用の操作パネル構造のように単一又は一対のエンジン始動用スイッチ等の電気器具要素を被取付パネルに配置する場合、上記特許文献２に記載の操作パネル構造のように、配置される全ての電気器具要素を一体的に設けたフランジ部を有する器具本体を製作すると、当該電気器具要素の配置数毎に異なる形状の器具本体を製作する必要があるため、製造コストの増加や在庫管理の煩雑化等の問題が生じる。
【０００５】
また、一対の電気器具要素を被取付パネルに配置する場合であっても、これら一対の電気器具要素の夫々を個別にパネル取付器具を用いて被取付パネルに取り付けるように構成すれば、夫々の電気器具要素を取り付けるための夫々の器具本体を共通化して、製造コストを抑えることができる。しかしながら、この場合には、一対の器具本体の夫々に装着される取付用ナット等の取付用部材同士の干渉が問題となって、一対の器具本体の配置間隔を小さくすることが困難となるため、一対の電気器具要素を被取付パネルに効率良く配置できないという問題が生じる。
【０００６】
この実情に鑑み、本発明の主たる課題は、共通の器具本体を用いながら、単一又は一対の電気器具要素を効率良く被取付パネルに配置可能な技術を提供する点にある。
【課題を解決するための手段】
【０００７】
本発明の第１特徴構成は、所定の電気器具要素が前面に設けられたフランジ部と、当該フランジ部の背面から後方に突出すると共に取付用部材を装着可能な部材装着部が外周に設けられた胴部と、を有する器具本体を備え、
被取付パネルの取付口に前方から挿通させた前記胴部に対して後方から前記取付用部材を前記部材装着部に装着させる形態で、前記器具本体を前記被取付パネルに取付可能なパネル取付器具であって、
前記胴部の外周に、前記部材装着部として、単一の前記器具本体を単独で前記被取付パネルに取り付ける単独取付状態において前記取付用部材である単一の第１取付用部材が装着される第１部材装着部と、一対の前記器具本体を前記被取付パネルの面内方向における第１方向に沿って並列配置して前記被取付パネルに取り付ける並列取付状態において前記取付用部材である単一の第２取付用部材が装着される第２部材装着部とが設けられている点にある。
【０００８】
本構成によれば、上記単独取付状態では、単一の器具本体の胴部を被取付パネルの取付口に挿通させる。その状態で当該胴部の外周に設けられた第１部材装着部に対して、例えば胴部を外囲する円環状の取付用部材である第１取付用部材を装着させる。このようにして、単一の器具本体を被取付パネルに取り付けて、当該単一の器具本体のフランジ部に設けられたスイッチ類等の電気器具要素を被取付パネルに配置することができる。
【０００９】
一方、上記並列取付状態では、上記単独取付状態で配置されるものと共通のフランジ部及び胴部を有する器具本体を用い、被取付パネルの面内方向における第１方向に沿って並列配置された一対の器具本体の夫々の胴部を被取付パネルの取付口に挿通させる。その状態で当該夫々の胴部の外周に設けられた第２部材装着部に対して、上記第１取付用部材とは別の取付用部材である第２取付用部材を装着させる。このようにして、第１方向に沿って並列配置された一対の器具本体を被取付パネルに取り付けて、当該一対の器具本体の夫々のフランジ部に設けられたスイッチ類等の電気器具要素を被取付パネルに配置することができる。
更に、この並列取付状態では、単一の第２取付用部材を用いて並列配置された一対の器具本体を被取付パネルに取り付けるので、夫々の器具本体を個別の取付用部材を用いて取り付ける場合と比較して、取付用部材同士の干渉が無い分、一対の器具本体の配置間隔を小さくすることができる。
【００１０】
従って、本発明により、共通の器具本体を用いながら、単一又は一対の電気器具要素を効率良く被取付パネルに配置可能なパネル取付器具を提供することができる。
【００１１】
本発明の第２特徴構成は、前記胴部の外周において、前記第１部材装着部が前記第２部材装着部に装着された状態の前記第２取付用部材の内方側に配置されており、前記第２部材装着部が前記第１部材装着部に装着された状態の前記第１取付用部材の内方側に配置されている点にある。
【００１２】
本構成によれば、上記単独取付状態においては、単一の器具本体を被取付パネルに取り付けるための第１取付用部材を、胴部の外周に設けられた第１部材装着部に対して、胴部の外周に別途設けられた第２部材装着部に干渉することなくスムーズに装着することができる。一方、上記並列取付状態においても、並列配置された一対の器具本体を被取付パネルに取り付けるための第２取付用部材を、胴部の外周に設けられた第２部材装着部に対して、胴部の外周に別途設けられた第１部材装着部に干渉することなくスムーズに装着することができる。
【００１３】
本発明の第３特徴構成は、前記胴部が、前記第１方向に偏平な略直方体形状に形成されており、
前記胴部の外周において、前記被取付パネルの面内方向において前記第１方向と直交する第２方向に沿って対向する夫々の幅狭面に前記第１部材装着部が設けられていると共に、当該第１部材装着部が設けられた夫々の幅狭面の前記第１方向に沿った一方側の側面との角部に前記第２部材装着部が夫々設けられている点にある。
【００１４】
本構成によれば、器具本体の胴部が第１方向に偏平な略直方体形状であることから、器具本体の胴部の外周において当該第１方向と直交する上記第２方向に沿って対向する夫々の幅狭面は、当該胴部の軸芯から最も外側に位置する面となる。そして、夫々の幅狭面に第１部材装着部が設けられているので、上記単独取付状態では、当該夫々の第１部材装着部に対して外側から円環状の第１部材装着部をバランス良く装着させることができる。
【００１５】
一方、上記並列取付状態では、第１方向に沿って並列配置された一対の器具本体の夫々の胴部が当該第１方向に偏平な略直方体形状であることから、当該一対の器具本体を一層近接させて配置することができる。更に、器具本体の胴部の外周において夫々の幅狭面に隣接する夫々の角部に第２部材装着部が設けられているので、上記並列取付状態において、並列配置された一対の器具本体の胴部の外周における四方の角部に第２部材装着部を配置させて、これらの第２部材装着部に対して外側から円環状の第２部材装着部をバランス良く装着させることができる。
【００１６】
更に、フランジ部を、前面視において第１方向を短辺側とする略長方形形状に形成すれば、上記並列取付状態において、上記略長方形形状の長辺同士を隣接させながら夫々のフランジ部を並列配置させる形態で、当該一対の器具本体を一層近接させて配置することができる。
【００１７】
本発明の第４特徴構成は、上記第３特徴構成に加えて、前記第１部材装着部及び前記第２部材装着部の夫々が、ねじ山が形成された異径のねじ山形成部であり、
前記第１取付用部材及び前記第２取付用部材の夫々が、前記ねじ山形成部のねじ山に螺合される異径の取付用ナットである点にある。
【００１８】
本構成によれば、器具本体の胴部を被取付パネルの取付口に挿通させた状態で当該胴部の外周に設けられたねじ山形成部に円環状の取付用ナットを装着させて、器具本体を被取付パネルに取り付けることができる。また、この場合においても、互いに径が異なる第１取付用ナットと第２取付用ナットとを取付用部材として準備するだけで、共通の器具本体を用いながら、上記単独取付状態と上記並列取付状態との異なる取付状態で器具本体を取付被取付パネルに取り付けることができる。
【００１９】
本発明の第５特徴構成は、上記第３乃至上記第４特徴構成の何れかに加えて、前記胴部の外周において、前記第１部材装着部が設けられた夫々の幅狭面の前記第１方向に沿った他方側の側面に、前記胴部内の空間を通じて前記電気器具要素に接続される配線が通過する配線取出口が形成されている点にある。
【００２０】
本構成によれば、器具本体の胴部の外周において、第２部材装着部が設けられた夫々の角部に挟まれた側面とは反対側の側面に上記配線取出口が形成されることになる。このことで、上記並列取付状態において、並列配置された器具本体の胴部を外囲する第２取付用部材との干渉を抑制して、夫々の配線取出口に配線を通過させることができる。
【００２１】
本発明の第６特徴構成は、単一又は一対のエンジン始動用スイッチを被取付パネルに配置してなる船舶用の操作パネル構造であって、
前記エンジン始動用スイッチを前記電気器具要素として前記フランジ部に設けて構成された上記第１特徴構成乃至上記第５特徴構成の何れかを有するパネル取付器具を、前記単独取付状態又は前記並列取付状態にて前記器具本体を前記被取付パネルに取り付けて構成された点にある。
【００２２】
本構成によれば、単一又は一対のエンジンを搭載した船舶においても、船舶用の操作パネル構造に採用するパネル取付器具として、これまで説明してきた本発明に係るパネル取付器具を採用することで、合理的且つ高効率に単一又は一対のエンジン始動用スイッチを被取付パネルに配置することができる。
【図面の簡単な説明】
【００２３】
【図１】パネル取付器具が備える器具本体の前面側から見た斜視図
【図２】パネル取付器具が備える器具本体の背面側から見た斜視図
【図３】ねじ山形成部に対する取付用ナットの装着状態を説明する背面図
【図４】単独取付状態における被取付パネルに対する各部の取付状態を示す分解斜視図
【図５】単独取付状態で取り付けられたパネル取付器具における被取付パネル前面側の状態を示す図
【図６】単独取付状態で取り付けられたパネル取付器具における被取付パネル背面側の状態を示す図
【図７】並列取付状態における被取付パネルに対する各部の取付状態を示す分解斜視図
【図８】並列取付状態で取り付けられたパネル取付器具における被取付パネル前面側の状態を示す図
【図９】並列取付状態で取り付けられたパネル取付器具における被取付パネル背面側の状態を示す図
【図１０】一対の器具本体の連接前の状態を示す斜視図
【図１１】一対の器具本体の連接後の状態を示す斜視図
【図１２】連接機構部の拡大斜視図
【図１３】フランジ部の枠体に対して胴部の枠体着脱部を着脱させる状態を示す分解斜視図
【発明を実施するための形態】
【００２４】
本発明に係るパネル取付器具の実施形態について図面に基づいて説明する。
本実施形態のパネル取付器具（以下、「本パネル取付器具」と呼ぶ。）は、図５及び図８に示すように、単一又は一対のエンジン始動用スイッチ１２を被取付パネル５０に配置してなる船舶用の操作パネル構造に採用されるものとして構成されている。
【００２５】
本パネル取付器具は、単独取付状態と並列取付状態との何れかの状態で、器具本体１を被取付パネル５０に取付可能に構成されている。上記単独取付状態は、図４、図５及び図６に示すように、単一の器具本体１を単独で被取付パネル５０に取り付ける取付状態である。一方、上記並列取付状態は、図７、図８及び図９に示すように、一対の器具本体１を被取付パネル５０の面内方向における幅方向Ｘ（第１方向の一例）に沿って並列配置して被取付パネル５０に取り付ける取付状態である。
【００２６】
〔本パネル取付器具の基本構成〕
先ず、本パネル取付器具の基本構成について、以下に説明を加える。
本パネル取付器具は、図１及び図２に示すように、フランジ部１０とその背面から突出する胴部２０とを有する器具本体１を備えて構成されている。そして、詳細については後述するが、この器具本体１を被取付パネル５０に取り付けるにあたっては、図４及び図７に示すように、その胴部２０が前方から被取付パネル５０の取付口５１，５２に挿通され、その状態で、当該挿通させた胴部２０の外周に設けられたねじ山形成部２１，２２（部材装着部の一例）に後方から取付用ナット３１，３２（取付用部材の一例）が装着される。すると、フランジ部１０と取付用ナット３１，３２とで被取付パネル５０が挟持される状態で、器具本体１が被取付パネル５０に取り付けられる。
【００２７】
器具本体１が備えるフランジ部１０は、被取付パネル５０（図５及び図８等を参照。）に沿った板状で、且つ、前面視において幅方向Ｘ（第１方向の一例）を短辺側とする縦長の略長方形形状に形成されている。フランジ部１０の前面には、所定の電気器具要素として、上方部から下方に向けて順に、電源のＯＮ／ＯＦＦを行うための電源スイッチ１１と、推進用エンジンの始動を行うためのエンジン始動用スイッチ１２と、推進用エンジンの状態や警報状態等を表示するための状態表示ランプ１３とが配置されている。電源スイッチ１１は、押ボタンスイッチとして構成されており、その左上隅部には、電源のＯＮ時に点灯するランプ１１ａが設けられている。エンジン始動用スイッチ１２は、押ボタンスイッチとして構成されており、その左上隅部には、推進用エンジンの作動時に点灯するランプ１２ａが設けられている。
【００２８】
器具本体１が備える胴部２０は、フランジ部１０の背面から後方に突出し、幅方向Ｘに偏平な略直方体形状の箱状体として構成されている。即ち、この胴部２０の外周部には、被取付パネル５０（図６及び図９等を参照。）の面内方向において幅方向Ｘと直交する縦方向Ｙ（第２方向の一例）に沿って対向する上下夫々の幅狭面２０ａと、当該夫々の幅狭面２０ａの幅方向Ｘに沿った一方側に位置する比較的広い第１側面２０ｂと、当該夫々の幅狭面２０ａの幅方向Ｘに沿った他方側に位置する比較的広い第２側面２０ｃとが設けられている。
【００２９】
また、胴部２０の内部空間には、上述したスイッチ１１，１２やランプ１１ａ，１２ａ，１３に接続される配線や基板等が敷設されており、第２側面２０ｃには、当該配線が通過して外部に取り出される配線取出口２３が形成されている。
【００３０】
胴部２０の外周には、器具本体１を被取付パネル５０に取り付けるための取付用ナット３１，３２（図６及び図９等を参照。）が螺合する状態で装着可能なねじ山形成部２１，２２が設けられている。詳しくは、図３に示すように、胴部２０の上下に配置された夫々の幅狭面２０ａに、後述する単独取付状態において単一の胴部２０を外囲する単独取付用ナット３１（第１取付用部材の一例）が螺合される単独取付用ねじ山形成部２１（第１部材装着部の一例）が夫々設けられている。
一方、夫々の幅狭面２０ａの幅方向Ｘに沿った一方側（図３では右側）の第１側面２０ｂとの角部２０ｄに、後述する並列取付状態において並列配置された一対の胴部２０を外囲し上記単独取付用ナット３１よりも大径の並列取付用ナット３２（第２取付用部材の一例）が螺合される並列取付用ねじ山形成部２２（第２部材装着部の一例）が夫々設けられている。また、胴部２０は、前面視において幅方向Ｘを短辺側とする縦長の略長方形形状に形成されているが、その外周の角部２０ｄは、面取りされた部位として形成されている。よって、角部２０ｄにおいて、比較的広い範囲に並列取付用ねじ山形成部２２を形成することができる。
【００３１】
上記単独取付状態において単一の器具本体１を被取付パネル５０に取り付けるための単独取付用ナット３１と、上記並列取付状態において一対のの器具本体１を被取付パネル５０に取り付けるための単独取付用ナット３１とは、互いにサイズ（径）が異なるナットとして構成されている。そのため、上記単独取付用ねじ山形成部２１と上記並列取付用ねじ山形成部２２との夫々には、ピッチ及び高さ等が異なるねじ山が形成されている。
【００３２】
図３に示すように、前面視において、胴部２０の外周での単独取付用ねじ山形成部２１は、並列取付用ねじ山形成部２２に装着された状態の並列取付用ナット３２の内方側に引退した位置に配置されている。一方、前面視において、胴部２０の外周での並列取付用ねじ山形成部２２の配置位置は、単独取付用ねじ山形成部２１に装着された状態の単独取付用ナット３１の内方側に引退した位置に配置されている。
このことで、上記単独取付状態及び上記並列取付状態の何れにおいても、器具本体１を被取付パネル５０に取り付けるための取付用ナット３１，３２を、胴部２０の外周に設けられたねじ山形成部２１，２２に対して、装着対象でない別のねじ山形成部２１，２２への干渉を回避しながらスムーズに装着することができる。
【００３３】
上記並列取付状態において、幅方向Ｘに沿って並列配置される一対の器具本体１の夫々は、共通の形状を有する部品を用いて構成されている。即ち、上記並列取付状態で並列配置される一対の器具本体１の夫々の胴部２０は、共通の形状を有するものとされている。そして、この並列取付状態では、一方側の器具本体１の胴部２０の姿勢が他方側の姿勢に対して奥行き方向Ｚに沿った軸心周りに半回転させたものとされており、これら一対の器具本体１が、第２側面２０ｃ同士を対向させながら並列配置されている。
よって、このような並列取付状態において、一対の胴部２０の夫々の第２側面２０ｃとは反対側の角部２０ｄに設けられた並列取付用ねじ山形成部２２は、当該一対の胴部２０において、装着される並列取付用ナット３２の内周に沿って略均等な四隅に配置される。そして、その四隅に配置された並列取付用ねじ山形成部２２が、並列取付用ナット３２が螺合され一連のねじ山形成部として機能する。
【００３４】
更に、本パネル取付器具は、図１０及び図１１に示すように、上記並列取付状態において、一対の器具本体１を、第２側面２０ｃ同士を対向させながらフランジ部１０同士を隣接させた状態で、幅方向Ｘに沿って並列配置させることができる。そして、この並列配置状態で一対の器具本体１を連接させて相互の位置決めを行うための連接機構部２５が胴部２０の奥行き方向Ｚにおける基端側に設けられている。
【００３５】
かかる連接機構部２５は、図１２にも示すように、第１連接部２５ａと第２連接部２５ｂとで構成されている。そして、並列配置された一対の器具本体１において、一方側の第１連接部２５ａと他方側の第２連接部２５ｂとが連接されると共に、一方側の第２連接部２５ｂと他方側の第１連接部２５ａとが連接される。このように、第１連接部２５ａと第２連接部２５ｂとが、縦方向Ｙにおける中心位置を通る幅方向Ｘに沿った軸を中心に、互いに半回転させた形状を有する。
【００３６】
このように構成された器具本体１は、図１３に示すように、奥行き方向Ｚに沿った軸心周りに半回転させた夫々の状態の胴部２０を、前面に所望の順序でスイッチ１１，１２等の電気器具要素が配置されたフランジ部１０を構成する枠体１５に対して、着脱自在に構成されている。
【００３７】
即ち、フランジ部１０の枠体１５の内面に対して、胴部２０の枠体着脱部２７の外面が嵌め込み可能に構成されている。更に、枠体１５の内面及び枠体着脱部２７の外面は、前面視において幅方向Ｘを短辺側とする長方形形状を有するものとして構成されているので、枠体１５に対して枠体着脱部２７を奥行き方向Ｚに沿った軸心周りに半回転させた場合でも、枠体１５の内面に対して枠体着脱部２７の外面を嵌め込むことができる。
【００３８】
枠体１５の内面には被係止凹部１５ａが形成されており、一方枠体着脱部２７の外面には上記被係止凹部１５ａに係止される係止爪２７ａが形成されている。更に、この被係止凹部１５ａ及び係止爪２７ａは、胴部２０の枠体着脱部２７を奥行き方向Ｚに沿った軸心周りに半回転させた場合でも、同じ位置となるように配置されている。
よって、上記並列取付状態において、一方側の器具本体１の胴部２０の姿勢を他方側の姿勢に対して奥行き方向Ｚに沿った軸心周りに半回転させたものとして一対の器具本体１を並列配置させた場合でも、夫々の器具本体１のフランジ部１０については反転させることなく同じ姿勢とすることができる。
【００３９】
〔単独取付状態〕
次に、単独取付状態の詳細について、図４、図５及び図６に基づいて以下に説明を加える。
単独取付状態では、単一の器具本体１が単独で被取付パネル５０に取り付けられる。
この場合、被取付パネル５０には、図４に示すように、単一の胴部２０の外周形状よりも若干大きい単独取付用取付口５１が形成される。
そして、この単一の器具本体１の胴部２０が、被取付パネル５０の単独取付用取付口５１に対して前方から挿通される。次に、その胴部２０に対して後方から、適宜ワッシャ６１を介装させた上で、単独取付用ナット３１が装着され当該胴部２０の上下夫々の幅狭面２０ａに設けられた単独取付用ねじ山形成部２１に螺合される。
すると、器具本体１のフランジ部１０と、当該器具本体１の胴部２０に装着された単独取付用ナット３１とで被取付パネル５０が挟持される状態で、単一の器具本体１が被取付パネル５０に単独で取り付けられることになる。
【００４０】
〔並列取付状態〕
次に、並列取付状態の詳細について、図７、図８及び図９に基づいて以下に説明を加える。
並列取付状態では、一対の器具本体１が幅方向Ｘに沿って並列配置して被取付パネル５０に取り付けられる。
この場合、被取付パネル５０には、図７に示すように、幅方向Ｘに沿って並列配置された一対の器具本体１における一対の胴部２０の外周形状よりも若干大きい並列取付用取付口５２が形成される。
そして、一対の器具本体１が、第２側面２０ｃ同士を対向させた姿勢において、フランジ部１０同士を隣接させると共に連接機構部２５同士を連接させた状態で、並列配置される。そして、このように並列配置された一対の器具本体１の胴部２０が、被取付パネル５０の並列取付用取付口５２に対して前方から挿通される。次に、その一対の胴部２０に対して後方から、適宜ワッシャ６２を介装させた上で、並列取付用ナット３２が装着され当該一対の胴部２０の外側の四隅に配置された並列取付用ねじ山形成部２２に螺合される。
すると、一対の器具本体１のフランジ部１０と、当該一対の器具本体１の胴部２０に装着された単一の並列取付用ナット３２とで被取付パネル５０が挟持される状態で、一対の器具本体１が被取付パネル５０に配置間隔が小さく近接させた状態で取り付けられることになる。
【００４１】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４２】
（１）上記実施形態では、パネル取付器具のフランジ部１０の前面に設ける電気器具要素をスイッチ１１，１２やランプ１１ａ，１２ａ，１３としたが、これら以外に計器類等を電気器具要素として設けても構わない。
【００４３】
（２）上記実施形態では、本発明に係るパネル取付器具を、単一又は一対のエンジン始動用スイッチ１２を被取付パネル５０に配置してなる船舶用の操作パネル構造に採用した例を説明したが、別の操作パネル構造に採用することもできる。
【００４４】
（３）上記実施形態では、器具本体１を被取付パネル５０に取り付けるにあたり、胴部２０の外周に設けられた部材装着部としてのねじ山形成部２１，２２に取付用部材としての取付用ナット３１，３２を装着するように構成したが、これら部材装着部及び取付用部材の構成は、フランジ部１０と部材装着部に装着される取付用部材とで被取付パネル５０を挟持するものであればよい。例えば、胴部２０の外周に設けられた部材装着部としての溝部に取付用部材としてのＣリングなどの抜け止め部材を装着するように構成することもできる。
【００４５】
（４）上記実施形態では、フランジ部１０及び胴部２０を幅方向Ｘに偏平な略直方体形状に形成したが、これらの形状については適宜変更しても構わない。また、胴部２０の形状を変更した場合などにおいて、その胴部２０の外周に設けられる単独取付用ねじ山形成部２１及び並列取付用ねじ山形成部２２の形成位置及び形状についても適宜変更することができる。
【００４６】
（５）上記実施形態では、胴部２０の外周において、並列取付用ねじ山形成部２２の反対側に位置する第２側面２０ｃに配線取出口２３を設けたが、別に、並列取付用ねじ山形成部２２側に位置する第１側面２０ｂや他の位置に配線取出口を設けても構わない。
【００４７】
（６）上記実施形態では、並列取付状態において、２個の器具本体１を単一の並列取付用ナット３２で被取付パネル５０に取り付けたが、例えば、並列取付状態において、並列配置された一対の器具本体１を上下に並べた４個の器具本体１を単一の並列取付用ナット３２で被取付パネル５０に取り付けるように構成することもできる。この場合、４個の器具本体１の夫々の胴部２０において、並列取付用ナット３２が螺合される並列取付用ねじ山形成部２２は一箇所の角部２０ｄのみに形成すればよい。
【符号の説明】
【００４８】
１      器具本体
１０    フランジ部
１１    電源スイッチ（電気器具要素）
１１ａ  ランプ（電気器具要素）
１２    エンジン始動用スイッチ（電気器具要素）
１２ａ  ランプ（電気器具要素）
１３    状態表示ランプ（電気器具要素）
２０    胴部
２０ａ  幅狭面
２０ｂ  第１側面（一方側の側面）
２０ｃ  第２側面（他方側の側面）
２０ｄ  角部
２１    単独取付用ねじ山形成部（第１部材装着部）
２２    並列取付用ねじ山形成部（第２部材装着部）
２３    配線取出口
３１    単独取付用ナット（第１取付用部材）
３２    並列取付用ナット（第２取付用部材）
５０    被取付パネル
５１    単独取付用取付口（取付口）
５２    並列取付用取付口（取付口）
Ｘ      幅方向（第１方向）
Ｙ      縦方向（第２方向）
【図１】
2020068131.tif 000003
【図２】
2020068131.tif 000004
【図３】
2020068131.tif 000005
【図４】
2020068131.tif 000006
【図５】
2020068131.tif 000007
【図６】
2020068131.tif 000008
【図７】
2020068131.tif 000009
【図８】
2020068131.tif 000010
【図９】
2020068131.tif 000011
【図１０】
2020068131.tif 000012
【図１１】
2020068131.tif 000013
【図１２】
2020068131.tif 000014
【図１３】
2020068131.tif 000015